(57)【特許請求の範囲】
【請求項１】
所定のリモートコントローラーから出力された無線信号を受信する受信手段と、
前記受信手段が受信した信号に基づいて、エレベーターの設定を行わせる設定手段と、
前記受信手段が受信した信号に基づいて、エレベーターの現在の設定内容を第１記憶手段にリモコンデータとして保存するマスター基板と、
盤内通信手段によって前記マスター基板に接続され、前記マスター基板から受信したデータに基づいて、エレベーターの現在の設定内容を第２記憶手段にリモコンデータとして保存するスレーブ基板と、
第３記憶手段を有し、前記盤内通信手段によって前記マスター基板に接続され、前記マスター基板から受信したデータに基づいて、エレベーターの現在の設定内容を前記第３記憶手段にリモコンデータとして保存する保存専用基板と、
を備え、
前記保存専用基板は、防水処理が施されたエレベーターのかご装置。
【請求項２】
前記マスター基板は、前記第１記憶手段に保存されているリモコンデータと前記第２記憶手段に保存されているリモコンデータとが一致しない場合に、前記第２記憶手段に、前記第１記憶手段に保存されているリモコンデータを保存させる請求項１に記載のエレベーターのかご装置。
【請求項３】
前記マスター基板は、前記第１記憶手段に保存されているリモコンデータが初期値である場合に、前記第１記憶手段に、前記第２記憶手段に保存されているリモコンデータを保存させる請求項１又は請求項２に記載のエレベーターのかご装置。
【請求項４】
前記マスター基板は、電源投入時に、前記第１記憶手段に、前記第３記憶手段に保存されているリモコンデータを保存させる請求項１から請求項３の何れか一項に記載のエレベーターのかご装置。
【請求項５】
前記マスター基板は、電源投入時に、前記第１記憶手段に、前記第３記憶手段に保存されているリモコンデータを保存させた後、前記第２記憶手段に、前記第１記憶手段に保存されているリモコンデータを保存させる請求項４に記載のエレベーターのかご装置。
【請求項６】
前記盤内通信手段を備えたかご操作盤と、
を備え、
前記マスター基板及び前記スレーブ基板は、前記かご操作盤の内部に設けられた請求項１から請求項５の何れか一項に記載のエレベーターのかご装置。
【請求項７】
前記盤内通信手段を備えたかご操作盤と、
を備え、
前記かご操作盤は、
インジケーターを制御するインジ制御基板と、
スピーカーを制御するアナウンス制御基板と、
かご釦に関する制御を行う釦制御基板と、
の少なくとも２つの制御基板を備え、
前記マスター基板は、前記かご操作盤が備える１つの前記制御基板からなり、
前記スレーブ基板は、前記かご操作盤が備える他の前記制御基板からなる
請求項１から請求項５の何れか一項に記載のエレベーターのかご装置。
【請求項８】
所定のリモートコントローラーから出力された無線信号を受信する受信手段と、
前記受信手段が受信した信号に基づいて、エレベーターの設定を行わせる設定手段と、
前記受信手段が受信した信号に基づいて、エレベーターの現在の設定内容を第１記憶手段にリモコンデータとして保存するマスター基板と、
盤内通信手段によって前記マスター基板に接続され、前記マスター基板から受信したデータに基づいて、エレベーターの現在の設定内容を第２記憶手段にリモコンデータとして保存するスレーブ基板と、
前記盤内通信手段を備えたかご操作盤と、
を備え、
前記かご操作盤は、
インジケーターを制御するインジ制御基板と、
スピーカーを制御するアナウンス制御基板と、
かご釦に関する制御を行う釦制御基板と、
の少なくとも２つの制御基板を備え、
前記マスター基板は、前記かご操作盤が備える１つの前記制御基板からなり、
前記スレーブ基板は、前記かご操作盤が備える他の前記制御基板からなる
エレベーターのかご装置。
【発明の詳細な説明】
【技術分野】
【０００１】
この発明は、リモートコントローラーを使用して各種設定を行うことができるエレベーターのかご装置に関するものである。
【背景技術】
【０００２】
エレベーター装置には、かごの操作盤に、各種設定を行うためのスイッチが備えられている。即ち、エレベーターの設定は、このスイッチの接点位置（ＯＮ位置／ＯＦＦ位置）によって定まる。例えば、かご内照明のＯＮ／ＯＦＦや、エレベーターの運転モードは、スイッチ（の接点）をＯＮ位置にしたりＯＦＦ位置にしたりすることにより、所望の状態に切り替えることができる。スイッチの接点信号は、エレベーターの制御盤に入力される。制御盤は、スイッチから入力される接点信号に基づいて、現在の設定内容を認識し、保存する。
【０００３】
かご操作盤から上記スイッチを無くすための方策としては、例えば、エレベーターの設定を、リモートコントローラーを使用して行うことが考えられる。
【０００４】
下記特許文献１には、エレベーターホールにいる保守員が、制御盤内のデータを、無線通信を利用して保守端末に取り込むための技術が開示されている。
【先行技術文献】
【特許文献】
【０００５】
【特許文献１】特開平１１−２６３５４６号公報
【発明の概要】
【発明が解決しようとする課題】
【０００６】
エレベーターの設定をリモートコントローラーを使用して行う場合は、設定をスイッチで行う時のように、接点位置によって設定内容を認識することができない。このため、設定内容をどこかに保存し、必要に応じて保存先からデータを取り込む必要がある。
【０００７】
特許文献１に記載のもののように、制御盤にデータを保存すると、制御盤を含むエレベーターシステムの改修が必要になってしまう。このため、改修のための費用負担が大きく、リモートコントローラーを使用したシステムへの移行が困難になるといった問題があった。
また、上述したように、エレベーターの設定をリモートコントローラーを使用して行う場合は、スイッチが備えられている時のように接点位置によって設定内容を認識することができない。このため、保存先のデータが消滅した場合のことも考慮して、消滅時の設定内容を容易に復元できることが重要となる。
【０００８】
なお、リモートコントローラーは、多種のエレベーター装置において使用される。このため、各種エレベーター装置の設定内容を、同じリモートコントローラーに保存させることは困難であった。
【０００９】
この発明は、上述のような課題を解決するためになされたもので、その目的は、エレベーターの設定をリモートコントローラーを使用して行う場合に、その設定内容を適切に保存し、容易に復元することができるとともに、リモートコントローラーの使用によってエレベーターの改修が必要になる場合であっても、改修に要する手間と費用とを大幅に低減させることができるエレベーターのかご装置を提供することである。
【課題を解決するための手段】
【００１０】
この発明に係るエレベーターのかご装置は、所定のリモートコントローラーから出力された無線信号を受信する受信手段と、受信手段が受信した信号に基づいて、エレベーターの設定を行わせる設定手段と、受信手段が受信した信号に基づいて、エレベーターの現在の設定内容を第１記憶手段にリモコンデータとして保存するマスター基板と、盤内通信手段によってマスター基板に接続され、マスター基板から受信したデータに基づいて、エレベーターの現在の設定内容を第２記憶手段にリモコンデータとして保存するスレーブ基板と、第３記憶手段を有し、盤内通信手段によってマスター基板に接続され、マスター基板から受信したデータに基づいて、エレベーターの現在の設定内容を第３記憶手段にリモコンデータとして保存する保存専用基板と、を備え、保存専用基板は、防水処理が施されたものである。
また、この発明に係るエレベーターのかご装置は、所定のリモートコントローラーから出力された無線信号を受信する受信手段と、受信手段が受信した信号に基づいて、エレベーターの設定を行わせる設定手段と、受信手段が受信した信号に基づいて、エレベーターの現在の設定内容を第１記憶手段にリモコンデータとして保存するマスター基板と、盤内通信手段によってマスター基板に接続され、マスター基板から受信したデータに基づいて、エレベーターの現在の設定内容を第２記憶手段にリモコンデータとして保存するスレーブ基板と、盤内通信手段を備えたかご操作盤と、を備え、かご操作盤は、インジケーターを制御するインジ制御基板と、スピーカーを制御するアナウンス制御基板と、かご釦に関する制御を行う釦制御基板と、の少なくとも２つの制御基板を備え、マスター基板は、かご操作盤が備える１つの制御基板からなり、スレーブ基板は、かご操作盤が備える他の制御基板からなるものである。
【発明の効果】
【００１１】
この発明に係るエレベーターのかご装置であれば、エレベーターの設定をリモートコントローラーを使用して行う場合に、その設定内容を適切に保存し、容易に復元することができる。また、リモートコントローラーの使用によってエレベーターの改修が必要になる場合であっても、改修に要する手間と費用とを大幅に低減させることができる。
【図面の簡単な説明】
【００１２】
【図１】この発明の実施の形態１におけるエレベーターのかご装置の要部を示す構成図である。
【図２】この発明の実施の形態１におけるエレベーターのかご装置の動作を示すフローチャートである。
【発明を実施するための形態】
【００１３】
添付の図面を参照して、本発明を詳細に説明する。各図において、同一又は相当する部分には、同一の符号を付している。重複する説明については、適宜簡略化或いは省略している。
【００１４】
実施の形態１．
図１はこの発明の実施の形態１におけるエレベーターのかご装置の要部を示す構成図である。
【００１５】
本実施の形態におけるエレベーター装置には、エレベーターに関する各種設定を、リモートコントローラー１を使用して行う機能が備えられている。リモートコントローラー１は、赤外線を利用した無線信号を出力する。例えば、かご内照明のＯＮ／ＯＦＦの切り替えや、運転モードの切り替えといった従来開戸内スイッチによって行われていたエレベーターの設定は、リモートコントローラー１を適切に操作する（リモートコントローラー１から適切な信号を送信する）ことにより、行うことができる。
【００１６】
図１において、２はかご操作盤、３は制御盤である。
かご操作盤２は、エレベーターのかごの内部に設けられている。かご操作盤２は、例えば、１つのユニット装置からなる。かご操作盤２には、インジケーター４、インジ制御基板５、スピーカー６、アナウンス制御基板７、かご釦８、釦制御基板９、保存専用基板１０が備えられている。
【００１７】
１１は盤内通信手段、１２は盤外通信手段である。盤内通信手段１１は、かご操作盤２内の通信機能を司る。盤外通信手段１２は、かご操作盤２と外部機器との通信機能を司る。制御盤３は、エレベーター全体の運行を制御する。制御盤３は、例えば、機械室等に配置され、かごの走行制御、戸開閉制御等を行う。かご操作盤２は、盤外通信手段１２を介して、制御盤３と通信する。
【００１８】
インジケーター４は、文字や図柄等を表示し、かご内の乗客に所定の情報を報知する。インジ制御基板５は、インジケーター４（の表示）を制御する機能を有している。インジ制御基板５には、例えば、マイクロプロセッサ１３（以下、単に「マイコン１３」ともいう）、記憶素子１４（記憶手段）、受光素子１５が備えられている。
【００１９】
記憶素子１４には、インジケーター４の制御に必要な各種データが記憶される。例えば、インジケーター４に所定の表示を行うための表示データは、記憶素子１４に記憶されている。記憶素子１４は、例えば、ＥＥＰＲＯＭやフラッシュＲＯＭで構成される。記憶素子１４は、マイコン１３に内蔵されていても構わない。
【００２０】
受光素子１５は、リモートコントローラー１から出力された無線信号を受信する受信手段を構成する。受光素子１５は、所定の設定を行うための信号をリモートコントローラー１から受信すると、受信した信号（或いは、受信した信号に応じた信号）をマイコン１３に出力する。
【００２１】
本実施の形態では、受光素子１５をインジ制御基板５に搭載した構成を示している。しかし、この構成は、単に一例を示すものである。例えば、インジ制御基板５以外の場所に受信手段を設置しても構わない。
【００２２】
マイコン１３は、記憶素子１４に記憶されているデータや各種入力信号に基づいて、所定の制御を行う。
リモートコントローラー１から出力された信号は、受光素子１５に受信され、対応の信号が受光素子１５からマイコン１３に出力される。マイコン１３は、受光素子１５から所定の信号が入力されると、受光素子１５が受信した信号（リモートコントローラー１から送信された信号）に応じた所定の制御を行う。
【００２３】
例えば、マイコン１３は、受光素子１５からの入力信号に基づいて、適切なアンサーバック表示をインジケーター４に行わせる。
【００２４】
また、マイコン１３は、受光素子１５が受信した信号に基づいてエレベーターの設定を制御盤３等に行わせる設定手段としての機能を有している。即ち、マイコン１３は、受光素子１５からの入力信号に基づいて制御盤３等に指令を出力し、受光素子１５が受信した信号に応じた動作を各機器に行わせる。例えば、エレベーターの運転を通常モードから保守モードに切り替えるための信号がリモートコントローラー１から出力された場合、マイコン１３は、受光素子１５からの入力信号に基づいて、運転モードの切り替えを行うための指令を制御盤３に出力する。制御盤３では、マイコン１３から上記指令を受信すると、エレベーターの運転を通常モードから保守モードに切り替える。
【００２５】
本実施の形態では、インジ制御基板５のマイコン１３が設定手段の機能を備える構成を示している。しかし、この構成は、単に一例を示すものである。例えば、インジ制御基板５とは別に、設定手段の機能を備えた基板が、かご操作盤２に備えられていても構わない。
【００２６】
上記記憶素子１４には、エレベーターの現在の設定内容が、リモコンデータ（リモートコントローラー１によって設定された内容を示すデータ）として保存されている。マイコン１３は、受光素子１５からの入力信号に基づいて、記憶素子１４に記憶されているリモコンデータを更新する。即ち、マイコン１３は、受光素子１５から新たな信号が入力されると、記憶素子１４に記憶されているリモコンデータを、上記新規入力信号（受光素子１５がリモートコントローラー１から新規に受信した信号）に合わせて変更する。この更新機能により、記憶素子１４に保存しているリモコンデータを、常に最新の設定内容に一致させることができる。
【００２７】
マイコン１３は、受光素子１５が新たな信号を受信し、記憶素子１４のリモコンデータを更新すると、更新後のリモコンデータ（の全部、或いは一部（更新部分））をアナウンス制御基板７、釦制御基板９、保存専用基板１０に出力する。
【００２８】
スピーカー６は、音声を出力し、かご内の乗客に所定の情報を報知する。アナウンス制御基板７は、スピーカー６（の出力）を制御する機能を有している。アナウンス制御基板７には、例えば、マイクロプロセッサ１６（以下、単に「マイコン１６」ともいう）、記憶素子１７（記憶手段）が備えられている。
【００２９】
記憶素子１７には、スピーカー６の制御に必要な各種データが記憶される。例えば、スピーカー６からアナウンスするためのメッセージデータは、記憶素子１７に記憶されている。また、記憶素子１７には、エレベーターの現在の設定内容が、リモコンデータとして保存されている。記憶素子１７は、例えば、ＥＥＰＲＯＭやフラッシュＲＯＭで構成される。記憶素子１７は、マイコン１６に内蔵されていても構わない。
【００３０】
マイコン１６は、記憶素子１７に記憶されているデータや各種入力信号に基づいて、所定の制御を行う。
リモートコントローラー１から出力された信号は、受光素子１５に受信され、対応の信号が受光素子１５からマイコン１３に出力される。マイコン１３は、受光素子１５から所定の信号が入力されると、記憶素子１４内のリモコンデータを更新するとともに、アナウンス制御基板７にその更新データを出力する。
【００３１】
マイコン１６は、インジ制御基板５（マイコン１３）から受信した更新データに基づいて、記憶素子１７に記憶されているリモコンデータを更新する。即ち、マイコン１６は、インジ制御基板５から更新データが入力されると、記憶素子１７に記憶されているリモコンデータを、上記更新データ（受光素子１５がリモートコントローラー１から新規に受信した信号）に合わせて変更する。この更新機能により、記憶素子１７に保存しているリモコンデータを、常に最新の設定内容に一致させることができる。
【００３２】
かご釦８は、かご内の乗客が操作するための押し釦からなる。かご釦８は、例えば、行先階毎の行先釦や、戸開釦、戸閉釦から構成される。釦制御基板９は、かご釦８に関する制御を行う。釦制御基板９には、例えば、マイクロプロセッサ１８（以下、単に「マイコン１８」ともいう）、記憶素子１９（記憶手段）が備えられている。
【００３３】
記憶素子１９には、かご釦８に関する制御に必要な各種データが記憶される。例えば、各釦の配列を特定するための釦配列データは、記憶素子１９に記憶されている。また、記憶素子１９には、エレベーターの現在の設定内容が、リモコンデータとして保存されている。記憶素子１９は、例えば、ＥＥＰＲＯＭやフラッシュＲＯＭで構成される。記憶素子１９は、マイコン１８に内蔵されていても構わない。
【００３４】
マイコン１８は、記憶素子１９に記憶されているデータや各種入力信号に基づいて、所定の制御を行う。
リモートコントローラー１から出力された信号は、受光素子１５に受信され、対応の信号が受光素子１５からマイコン１３に出力される。マイコン１３は、受光素子１５から所定の信号が入力されると、記憶素子１４内のリモコンデータを更新するとともに、釦制御基板９にその更新データを出力する。
【００３５】
マイコン１８は、インジ制御基板５（マイコン１３）から受信した更新データに基づいて、記憶素子１９に記憶されているリモコンデータを更新する。即ち、マイコン１８は、インジ制御基板５から更新データが入力されると、記憶素子１９に記憶されているリモコンデータを、上記更新データ（受光素子１５がリモートコントローラー１から新規に受信した信号）に合わせて変更する。この更新機能により、記憶素子１９に保存しているリモコンデータを、常に最新の設定内容に一致させることができる。
【００３６】
保存専用基板１０は、エレベーターの現在の設定内容をリモコンデータとして保存するための専用の小型基板からなる。保存専用基板１０は、アナウンス制御基板７や釦制御基板９と同様に、盤内通信手段１１を介してインジ制御基板５に接続されている。保存専用基板１０は、防水処理が施された状態で、かご操作盤２に組み込まれている。このため、かご操作盤２が冠水しても、保存専用基板１０に保存されているデータは、破壊されない。保存専用基板１０には、例えば、マイクロプロセッサ２０（以下、単に「マイコン２０」ともいう）、記憶素子２１（記憶手段）が備えられている。
【００３７】
記憶素子２１には、エレベーターの現在の設定内容が、リモコンデータとして保存されている。記憶素子２１は、例えば、ＥＥＰＲＯＭやフラッシュＲＯＭで構成される。記憶素子２１は、マイコン２０に内蔵されていても構わない。
【００３８】
マイコン２０は、記憶素子２１に記憶されているリモコンデータを、エレベーターの現在の設定内容に合わせるための所定の制御を行う。
リモートコントローラー１から出力された信号は、受光素子１５に受信され、対応の信号が受光素子１５からマイコン１３に出力される。マイコン１３は、受光素子１５から所定の信号が入力されると、記憶素子１４内のリモコンデータを更新するとともに、保存専用基板１０にその更新データを出力する。
【００３９】
マイコン２０は、インジ制御基板５（マイコン１３）から受信した更新データに基づいて、記憶素子２１に記憶されているリモコンデータを更新する。即ち、マイコン２０は、インジ制御基板５から更新データが入力されると、記憶素子２１に記憶されているリモコンデータを、上記更新データ（受光素子１５がリモートコントローラー１から新規に受信した信号）に合わせて変更する。この更新機能により、記憶素子２１に保存しているリモコンデータを、常に最新の設定内容に一致させることができる。
【００４０】
上記構成を有するかご操作盤２では、インジ制御基板５を、リモコンデータを保存するためのマスター基板として利用している。また、マスター基板は、盤内通信手段１１を介して、複数のスレーブ基板に接続されている。本実施の形態に示す構成においては、アナウンス制御基板７、釦制御基板９、保存専用基板１０が、上記スレーブ基板に該当する。
【００４１】
かご操作盤２では、リモコンデータを、内部の複数の基板（記憶素子）に分散記憶させている。このため、一部の基板（記憶素子）に記憶させたリモコンデータが消滅しても、他の基板（記憶素子）に記憶させたリモコンデータを利用して、上記一部の基板のリモコンデータを復元させることができる。
【００４２】
例えば、一部の基板が故障して、新規基板に交換された場合を考える。新規基板のリモコンデータは、初期値に設定されている。かかる場合、他の基板のリモコンデータを新規基板にコピーすることにより、容易に、且つ制御盤３等の外部機器に頼ることなく（かご操作盤２の内部処理のみにおいて）、新規基板のリモコンデータを、エレベーターの現状設定に一致させることができる。図１に示す例であれば、インジ制御基板５（マイコン１３）は、記憶素子１７（或いは１９）のリモコンデータが記憶素子１４のリモコンデータに一致しなければ、記憶素子１７（或いは１９）に、記憶素子１４のリモコンデータをコピーすれば良い。また、インジ制御基板５（マイコン１３）は、記憶素子１４のリモコンデータが初期値であれば、記憶素子１４に、記憶素子１７（或いは、１９、２１）のリモコンデータをコピーすれば良い。
【００４３】
エレベーターのかごが冠水すると、インジ制御基板５、アナウンス制御基板７、釦制御基板９は、全て故障してしまう。本構成のかご操作盤２には、スレーブ基板の一つとして、防水処理が施された保存専用基板１０が採用されている。このため、かごが冠水した場合であっても、この保存専用基板１０のリモコンデータを正として、他の基板（マスター基板及び他のスレーブ基板）のリモコンデータを容易に復旧させることができる。
【００４４】
図１に示した構成は、マスター基板及びスレーブ基板の一例を示したものである。インジ制御基板５以外の基板をマスター基板として採用しても構わない。また、スレーブ基板として１つの基板のみを採用しても構わない。スレーブ基板に保存専用基板１０が備えられていなくても構わない。このような構成であっても、一定の効果を奏することは可能である。
【００４５】
次に、上記かご操作盤２に備えられたリモコンデータの整合性チェック機能について、具体的に説明する。
整合性チェック機能とは、マスター基板のリモコンデータと各スレーブ基板のリモコンデータとが、エレベーターの現在の設定内容に一致しているか否かを判定するための機能である。また、かご操作盤２には、リモコンデータの自動復旧機能も備えられている。この自動復旧機能は、一部の基板のリモコンデータが現在の設定内容に一致していない場合に、その基板のリモコンデータを現在の設定内容に自動で一致させるための機能である。
【００４６】
図２はこの発明の実施の形態１におけるエレベーターのかご装置の動作を示すフローチャートである。図２は、かご操作盤２の電源が投入された際に、上記整合性チェック機能と自動復旧機能とが有効になる時の処理フローを示している。図２及び図２の説明においては、リモコンデータの記憶機能を備えた基板のうち、マスター基板及び保存専用基板１０以外の基板を、スレーブ基板と表記する。図２に示す処理フローは、例えば、各基板に搭載されたマイコンによって行われる。
【００４７】
かご操作盤２の電源が投入されると（Ｓ１）、かご操作盤２に組み込まれている各基板が稼働する。これにより、リモートコントローラー１から送信された赤外線信号を、受光素子１５によって受信し、対応の信号をマスター基板に入力させることが可能となる。
【００４８】
かご操作盤２に電源が投入されると、インジ制御基板５（マスター基板）では、かご操作盤２に保存専用基板１０が存在するか否かを確認する（Ｓ２、Ｓ３）。インジ制御基板５は、所定の信号を出力することにより、Ｓ３の判定を行う。即ち、インジ制御基板５は、盤内通信手段１１によって接続された基板からの返信の有無に基づいて、保存専用基板１０が存在するか否かを判定する。
【００４９】
例えば、かご操作盤２に組み込まれている各基板に、予めＩＤを割り付けておく。インジ制御基板５は、ＩＤコマンドに対する返信の有無に基づいて、保存専用基板１０の有無を識別する。なお、インジ制御基板５は、ＩＤコマンドに対する返信の有無に基づいて、スレーブ基板の有無と、スレーブ基板が存在する場合はその枚数とを識別することもできる。
【００５０】
インジ制御基板５は、保存専用基板１０用のＩＤコマンドに対する返信を検出することができなければ、かご操作盤２に保存専用基板１０が存在しないことを判定する（Ｓ３のＮｏ）。かかる場合、インジ制御基板５は、次に、かご操作盤２にスレーブ基板が存在するか否かを確認する（Ｓ４、Ｓ５）。インジ制御基板５は、スレーブ基板の有無の判定も、保存専用基板１０の有無の判定と同様に行う。
【００５１】
インジ制御基板５は、スレーブ基板用のＩＤコマンドに対する返信を何も検出することができなければ、かご操作盤２にスレーブ基板が存在しないことを判定する（Ｓ５のＮｏ）。Ｓ３及びＳ５の双方においてＮｏの判定がなされた場合、インジ制御基板５から見て、盤内通信手段１１に何も基板が接続されていないことになる。このような状態は、正常であるとは言えない。このため、インジ制御基板５は、Ｓ５でＮｏを判定すると、リモコンデータの整合性チェックの失敗（ＮＧ）を検出し、かご操作盤２をリセットさせる（Ｓ６）。
【００５２】
一方、インジ制御基板５は、Ｓ３において保存専用基板１０用のＩＤコマンドに対する返信を検出すると、かご操作盤２に保存専用基板１０が存在することを判定する（Ｓ３のＹｅｓ）。かかる場合、インジ制御基板５は、保存専用基板１０に記憶されているリモコンデータを、盤内通信手段１１を介して記憶素子１４にコピーする（Ｓ７）。Ｓ７の処理においては、上記コピーが正常に行われたか否かのベリファイチェックを組み込むことが望ましい。
【００５３】
保存専用基板１０のリモコンデータを記憶素子１４にコピーすると、インジ制御基板５は、次に、かご操作盤２にスレーブ基板が存在するか否かを確認する（Ｓ８、Ｓ９）。Ｓ８及びＳ９の処理は、Ｓ４及びＳ５の処理と同様である。
【００５４】
インジ制御基板５は、スレーブ基板用のＩＤコマンドに対する返信を何も検出することができなければ、かご操作盤２にスレーブ基板が存在しないことを判定する（Ｓ９のＮｏ）。かかる場合、インジ制御基板５は、Ｓ６の処理に進み、リモコンデータの整合性チェックの失敗（ＮＧ）を判定する。
【００５５】
インジ制御基板５は、スレーブ基板用のＩＤコマンドに対する返信を１つでも検出することができれば、かご操作盤２にスレーブ基板が存在することを判定する（Ｓ９のＹｅｓ）。かかる場合、インジ制御基板５は、記憶素子１４に記憶されているリモコンデータを、盤内通信手段１１を介してスレーブ基板の記憶素子（例えば、アナウンス制御基板７の記憶素子１７及び釦制御基板９の記憶素子１９）にコピーする（Ｓ１０）。Ｓ１０の処理においても、上記コピーが正常に行われたか否かのベリファイチェックを組み込むことが望ましい。
【００５６】
記憶素子１４のリモコンデータを記憶素子１７及び１９にそれぞれコピーすると、インジ制御基板５は、リモコンデータの整合性チェックの成功（ＯＫ）を検出する（Ｓ１１）。これにより、かご操作盤２は、制御盤３との通信を開始し、通常機能で動作する。
【００５７】
一方、インジ制御基板５は、Ｓ５においてスレーブ基板用のＩＤコマンドに対する返信を１つでも検出することができれば、かご操作盤２にスレーブ基板が存在することを判定する（Ｓ５のＹｅｓ）。かかる場合、インジ制御基板５は、マスター基板に記憶されているリモコンデータとスレーブ基板に記憶されているリモコンデータとの整合性チェックを行う（Ｓ１２）。
【００５８】
上記整合性チェックにおいて、インジ制御基板５は、先ず、盤内通信手段１１を介して、記憶素子１７に記憶されているリモコンデータと記憶素子１９に記憶されているリモコンデータとを取り込む。そして、インジ制御基板５は、取り込んだリモコンデータが、記憶素子１４に記憶されているリモコンデータと一致するか否かを判定する（Ｓ１３）。
【００５９】
各スレーブ基板に記憶されているリモコンデータが、インジ制御基板５に記憶されているリモコンデータに一致していれば（Ｓ１３のＮｏ）、インジ制御基板５は、リモコンデータの整合性チェックの成功（ＯＫ）を検出する（Ｓ１１）。これにより、かご操作盤２は、制御盤３との通信を開始し、通常機能で動作する。
【００６０】
何れかのスレーブ基板に記憶されているリモコンデータが、インジ制御基板５に記憶されているリモコンデータに一致しない場合、インジ制御基板５は、そのスレーブ基板のリモコンデータについて整合ＮＧを判定する（Ｓ１３のＹｅｓ）
【００６１】
例えば、インジ制御基板５のリモコンデータが「０Ａｈ」、アナウンス制御基板７のリモコンデータが「０Ａｈ」、釦制御基板９のリモコンデータが「００ｈ」である場合を考える。アナウンス制御基板７のリモコンデータは、インジ制御基板５のリモコンデータに一致している。このため、インジ制御基板５は、アナウンス制御基板７のリモコンデータについては、整合ＯＫを判定する。一方、釦制御基板９のリモコンデータは初期値であり、インジ制御基板５のリモコンデータに一致していない。このため、インジ制御基板５は、釦制御基板９が新規基板に交換されたと判断し、そのリモコンデータについては、整合ＮＧを判定する。
【００６２】
Ｓ１３において何れかのスレーブ基板について整合ＮＧを判定すると、インジ制御基板５は、記憶素子１４に記憶されているリモコンデータを、盤内通信手段１１を介して、整合ＮＧが判定されたスレーブ基板の記憶素子（上記例では、釦制御基板９の記憶素子１９）にコピーする（Ｓ１４）。Ｓ１４の処理においても、上記コピーが正常に行われたか否かのベリファイチェックを組み込むことが望ましい。
【００６３】
記憶素子１４のリモコンデータを、整合ＮＧが判定されたスレーブ基板の記憶素子にコピーすると、インジ制御基板５は、リモコンデータの整合性チェックの成功（ＯＫ）を検出する（Ｓ１１）。これにより、かご操作盤２は、制御盤３との通信を開始し、通常機能で動作する。
【００６４】
上記構成を有するエレベーターのかご装置であれば、エレベーターの設定をリモートコントローラー１を使用して行う場合に、その設定内容を適切に保存し、容易に復元することができる。また、リモコンデータの分散記憶機能及び自動復元機能を、制御盤３等の外部機器に頼ることなく、かご操作盤２の内部処理のみにおいて実現することができる。このため、既存のエレベーター装置からの大幅な改修は不要となり、赤外線リモートコントロールシステムを搭載したエレベーター装置の適用を容易化することが可能となる。
【００６５】
既存のエレベーター装置にも、インジケーターを制御する基板や、スピーカーを制御する基板、かご釦を制御する基板等がかご操作盤に備えられており、各基板に記憶素子が搭載されている。このため、これらの記憶素子を用いてリモコンデータの保存・書き込み・読み出しを実施すれば、基板自体の変更を最小限にして対応することが可能となる。
【００６６】
また、リモコンデータが記憶された基板を新規基板に交換した場合は、かご操作盤２の電源投入時等に、その新規基板の記憶素子に、エレベーターの現状設定と一致するリモコンデータが記憶される。このため、基板交換前にリモコンデータを記憶する作業や、その記憶したリモコンデータを新規基板に再登録する作業が不要となり、エレベーターの保守作業を大幅に簡素化させることができるようになる。
【符号の説明】
【００６７】
１  リモートコントローラー
２  かご操作盤
３  制御盤
４  インジケーター
５  インジ制御基板
６  スピーカー
７  アナウンス制御基板
８  かご釦
９  釦制御基板
１０  保存専用基板
１１  盤内通信手段
１２  盤外通信手段
１３、１６、１８、２０  マイクロプロセッサ（マイコン）
１４、１７、１９、２１  記憶素子
１５  受光素子
【図１】
0005834977.tif 000002
【図２】
0005834977.tif 000003